(57)【要約】【課題】プレキャストコンクリート柱部材及びプレキャストコンクリート梁部材を組み付ける作業だけで外殻を構築することができる建物を提供する。【解決手段】プレキャストコンクリート柱部材及びプレキャストコンクリート梁部材を組み付けて外殻が構築されている建物において、前記外殻の一部に前記プレキャストコンクリート梁部材がない建物。【選択図】図１
2014201908.tif 000002
【特許請求の範囲】
【請求項１】
プレキャストコンクリート柱部材及びプレキャストコンクリート梁部材を組み付けて外殻が構築されている建物において、
前記外殻の一部に前記プレキャストコンクリート梁部材がない建物。
【請求項２】
前記外殻を構成する前記プレキャストコンクリート梁部材を、床スラブの一辺を支持する跳ね出し梁としている請求項１に記載の建物。
【請求項３】
前記外殻は、
第１プレキャストコンクリート柱部材の上面から上方へ突出する鉄筋を第１プレキャストコンクリート梁部材に設けられた貫通孔に挿入させながら、前記第１プレキャストコンクリート梁部材を降下させて、前記第１プレキャストコンクリート柱部材上に前記第１プレキャストコンクリート梁部材を載置する工程と、
前記第１プレキャストコンクリート梁部材の端面又は第２プレキャストコンクリート梁部材の端面から横方へ突出する鉄筋を前記第２プレキャストコンクリート梁部材の端面又は前記第１プレキャストコンクリート梁部材の端面に設けられた接続孔に挿入させながら、前記第２プレキャストコンクリート梁部材を横移動させて、第２プレキャストコンクリート柱部材上に前記第２プレキャストコンクリート梁部材を載置する工程と、
を有する組立方法によって構築されている請求項１又は２に記載の建物。
【発明の詳細な説明】
【技術分野】
【０００１】
本発明は、プレキャストコンクリート製の柱部材及び梁部材によって構成された柱梁架構を有する建物に関する。
【背景技術】
【０００２】
柱部材や梁部材となるプレキャストコンクリート部材同士を接合して、柱梁架構を構築する技術が提案されている。例えば、特許文献１には、プレキャストコンクリート部材の端面から突出させた鉄筋同士を継手金物で連結することにより、プレキャストコンクリート部材同士を接合する方法が開示されている。しかし、この接合方法は、プレキャストコンクリート部材の接合部（プレキャストコンクリート部材の端面間）にコンクリート打設を行わなければならないので、接合作業に手間が掛かってしまう。
【０００３】
これに対して、特許文献２では、一方のプレキャストコンクリート梁部材の端部に埋設されたスリーブに、他方のプレキャストコンクリート梁部材の端面から突出する鉄筋を挿入して固定することにより、プレキャストコンクリート梁部材同士を接合する接合方法が開示されている。この接合方法を用いれば、コンクリート打設を行わずにプレキャストコンクリート部材同士を接合することができるので、接合作業の手間を軽減することができる。
【０００４】
しかし、建物の外殻を構成する柱梁架構は、一般的に、梁部材を柱部材や梁部材に繋げて柱部材及び梁部材が連続して設けられている構成にする必要があるので、平面配置が環状となる外殻を特許文献２の接合方法だけで構築することができず、コンクリート打設を必要とする梁の接合箇所が存在してしまう。
【先行技術文献】
【特許文献】
【０００５】
【特許文献１】特開平３−２１２５３７号公報
【特許文献２】特開２００４−３４６５８７号公報
【発明の概要】
【発明が解決しようとする課題】
【０００６】
本発明は係る事実を考慮し、プレキャストコンクリート柱部材及びプレキャストコンクリート梁部材を組み付ける作業だけで外殻を構築することができる建物を提供することを課題とする。
【課題を解決するための手段】
【０００７】
請求項１に記載の発明は、プレキャストコンクリート柱部材及びプレキャストコンクリート梁部材を組み付けて外殻が構築されている建物において、前記外殻の一部に前記プレキャストコンクリート梁部材がない建物である。
【０００８】
請求項１に記載の発明では、外殻の一部からプレキャストコンクリート梁部材を無くすことで、コンクリート打設を行わなくても、プレキャストコンクリート柱部材及びプレキャストコンクリート梁部材を組み付ける作業だけで建物の外殻を構築することができる。
【０００９】
請求項２に記載の発明は、請求項１に記載の建物において、前記外殻を構成する前記プレキャストコンクリート梁部材を、床スラブの一辺を支持する跳ね出し梁としている。
【００１０】
請求項２に記載の発明では、外殻を構成するプレキャストコンクリート梁部材を、床スラブの一辺を支持する跳ね出し梁とすることにより、この部分の柱を無くすことができる。
【００１１】
請求項３に記載の発明は、請求項１又は２に記載の建物において、前記外殻は、第１プレキャストコンクリート柱部材の上面から上方へ突出する鉄筋を第１プレキャストコンクリート梁部材に設けられた貫通孔に挿入させながら、前記第１プレキャストコンクリート梁部材を降下させて、前記第１プレキャストコンクリート柱部材上に前記第１プレキャストコンクリート梁部材を載置する工程と、前記第１プレキャストコンクリート梁部材の端面又は第２プレキャストコンクリート梁部材の端面から横方へ突出する鉄筋を前記第２プレキャストコンクリート梁部材の端面又は前記第１プレキャストコンクリート梁部材の端面に設けられた接続孔に挿入させながら、前記第２プレキャストコンクリート梁部材を横移動させて、第２プレキャストコンクリート柱部材上に前記第２プレキャストコンクリート梁部材を載置する工程と、を有する組立方法によって構築されている。
【００１２】
請求項３に記載の発明では、第１プレキャストコンクリート柱部材上に第１プレキャストコンクリート梁部材を載置した状態で、第１プレキャストコンクリート梁部材の貫通孔に第１プレキャストコンクリート柱部材の鉄筋が挿入されているので、第１プレキャストコンクリート梁部材の横移動が規制され、第１プレキャストコンクリート梁部材が横方向へずれて第１プレキャストコンクリート柱部材上から脱落するのを防ぐことができる。
【００１３】
また、第２プレキャストコンクリート柱部材上に第２プレキャストコンクリート梁部材を載置した状態で、第２プレキャストコンクリート梁部材又は第１プレキャストコンクリート梁部材の接続孔に第１プレキャストコンクリート梁部材又は第２プレキャストコンクリート梁部材の鉄筋が挿入されているので、第２プレキャストコンクリート梁部材の横移動が規制され、第２プレキャストコンクリート梁部材が横方向へずれて第２プレキャストコンクリート柱部材上から脱落するのを防ぐことができる。これらにより、建物の外殻を安全に組み立てることができる。
【発明の効果】
【００１４】
本発明は上記構成としたので、プレキャストコンクリート柱部材及びプレキャストコンクリート梁部材を組み付ける作業だけで外殻を構築することができる。
【図面の簡単な説明】
【００１５】
【図１】本発明の実施形態に係る建物を示す平面断面図である。
【図２】本発明の実施形態に係る従来の外殻の構築方法を示す平面図である。
【図３】本発明の実施形態に係る従来の外殻の構築方法を示す側断面図である。
【図４】本発明の実施形態に係る従来の外殻を示す平面断面図である。
【図５】本発明の実施形態に係る建物を示す平面断面図である。
【図６】本発明の実施形態に係る柱梁架構の構築方法を示す説明図である。
【図７】本発明の実施形態に係る柱梁架構の構築方法を示す説明図である。
【発明を実施するための形態】
【００１６】
図を参照しながら、本発明の実施形態を説明する。まず、本発明の実施形態に係る建物について説明する。
【００１７】
図１の平面断面図には、本実施形態の鉄筋コンクリート造の建物１０が示されている。以下の説明において、平面視における建物１０の長辺方向をＸ方向とし、このＸ方向と直交する短辺方向をＹ方向とする。建物１０は、鉄筋コンクリートによって形成された、柱部材１２、１４、１６、１８、２０、梁部材２２、２４、及び床スラブ２６、２８を有して構成されている。柱部材１２、１４、梁部材２２、及び床スラブ２６、２８は、現場打ちコンクリートによって形成されており、柱部材１６、１８、２０、及び梁部材２４は、プレキャストコンクリート部材である。梁部材２４は、逆梁であり、バルコニーの手摺りになっている。
【００１８】
建物１０の外周部には、柱梁架構３０、３２、３４、３６を平面視にて略環状に配置して構成された外殻３８が構築されている。柱梁架構３０、３４は、柱部材１６、１８、及び梁部材２４を組み付けて構築されており、Ｘ方向に配置されている。柱梁架構３０と柱梁架構３４は、構面同士が略平行となるように対向して配置されている。
【００１９】
柱梁架構３２、３６は、柱部材２０及び梁部材２４を組み付けて構築されており、Ｙ方向に配置されている。柱梁架構３２と柱梁架構３６は、構面同士が略平行となるように対向して配置されている。
【００２０】
なお、本実施形態において外殻は、平面視にて略環状に配置された架構によって構成され、建物の外周部に構築された構造を意味する。また、柱部材及び梁部材を組み付けるとは、柱部材同士、梁部材同士、及び柱部材と梁部材を、接合部（接合面間）にコンクリート打設を行わずに接合することを意味する。
【００２１】
建物１０の四隅部に位置する床スラブ２８のＸ方向に沿った外縁４０には梁部材２４が設けられておらず、柱梁架構３０、３４と、柱梁架構３２、３６が梁部材２４で繋がれていない。すなわち、外殻３８の一部に梁部材２４がない。
【００２２】
また、建物１０の四隅部に位置する床スラブ２８のＹ方向に沿った外縁４２は、外殻３８を構成する梁部材２４によって支持されている。すなわち、建物１０の四隅部に配置された梁部材２４は、床スラブ２８の一辺（外縁４２）を支持する跳ね出し梁となっている。
【００２３】
次に、本発明の実施形態に係る建物の作用と効果について説明する。
【００２４】
プレキャストコンクリート部材同士を接合する一般的な接合方法として、プレキャストコンクリート部材に設けられた鉄筋同士を継手金物で連結する方法が挙げられる。例えば、プレキャストコンクリート梁部材同士を接合する場合には、一方のプレキャストコンクリート梁部材の端面（接合面）から突出させた鉄筋と、他方のプレキャストコンクリート梁部材の端面（接合面）から突出させた鉄筋とを継手金物で連結し、接合部（一方のプレキャストコンクリート梁部材の端面と、他方のプレキャストコンクリート梁部材の端面の間）にコンクリートを打設することによって、プレキャストコンクリート梁部材同士を接合する。しかし、この接合方法は、接合部にコンクリートを打設しなければならないので、接合作業に手間が掛かってしまう。
【００２５】
また、図２（ａ）〜（ｄ）の平面図に示すように、柱梁部材４４、４６を組み付けて外殻を構築する方法が考えられる。柱梁部材４４、４６は、鉄筋コンクリートによって形成されたプレキャスト部材であり、一体となる柱部４８（柱梁仕口部を含む）と梁部５０を有して構成されている。そして、図３に示す方法によって梁部５０同士を接合することにより、柱梁部材４４と柱梁部材４６、及び柱梁部材４６と柱梁部材４６が組み付けられる。
【００２６】
図３に示すように、左側に配置されている梁部５０（以下、「梁部５０Ａ」とする）端部の上部及び下部には、スリーブ等の接続部材５２が埋設されている。接続部材５２は、梁部５０Ａに設けられた梁鉄筋５４の端部に接続されており、梁部５０Ａの端面５６（接合面）から突出しないようにして設けられている。また、右側に配置されている梁部５０（以下、「梁部５０Ｂ」とする）の端面５８（接合面）からは、梁部５０Ｂの上部及び下部に設けられた梁鉄筋５４の端部が突出している。この梁鉄筋５４の端部は、接続部材５２に形成された接続孔６０に挿入される。説明の都合上、図３の梁部５０Ａ、５０Ｂには、梁鉄筋５４を囲むように梁部５０Ａ、５０Ｂに設けられているせん断補強筋が省略されている。
【００２７】
柱梁部材４４と柱梁部材４６、及び柱梁部材４６と柱梁部材４６を組み付ける際には、接合する一方の梁部５０を横方向へ移動させ（矢印６２又は矢印６４）、接続孔６０に梁鉄筋５４の端部を挿入し、梁鉄筋５４が挿入された接続孔６０にグラウト（不図示）を充填し硬化させて梁部５０同士を接合する。
【００２８】
ここで、図２（ａ）、（ｂ）、（ｃ）の順に柱梁部材４４、４６の組み付け作業を進め、地点Ｋから時計回り（矢印６６）と反時計周り（矢印６８）に柱梁部材４４、４６を組み付けて設置して行くと、最後に柱梁部材４６を設置する位置（図２（ｄ）に点線で示した柱梁部材４６の位置）の両側には既に柱梁部材４４、４６が設置されているために、最後に設置する柱梁部材４６（梁部５０）を横方向へ移動させて梁部５０同士を接合することができない。
【００２９】
よって、最後に設置する柱梁部材４６の梁部５０は、接合部へのコンクリートの打設を必要とする接合方法によって接合しなければならない。すなわち、コンクリート打設を必要とする接合箇所が存在してしまう。
【００３０】
これに対して、本実施形態の建物１０では、図１に示すように、柱梁架構３０、３４と、柱梁架構３２、３６が梁部材２４で繋がれていない。すなわち、外殻３８の一部から梁部材２４を無くしているので、コンクリート打設を行わなくても、柱部材１６、１８、２０、及び梁部材２４を組み付ける作業だけで建物１０の外殻３８を構築することができる。
【００３１】
また、例えば、図４の平断面図に示すように、建物の四隅部に位置する床スラブ２８の外縁４０に、場所打ちコンクリート又はプレキャストコンクリートによって形成された梁部材７０が設けられる場合、一般に、梁部材７０の形成又は梁部材７０の接合は、高強度コンクリート（例えば、ＦＣ４５）を打設することによって行われるが、床スラブ２８は普通コンクリート（例えば、ＦＣ２７）を打設することによって形成される。すなわち、違う強度のコンクリートを打ち分ける手間が掛かってしまう。これに対して本実施形態の建物１０では、この部分（外縁４０）に梁部材が存在しないので、床スラブ２８のコンクリート打設のみを行えばよい。よって、コンクリートを打ち分ける手間が掛からない。
【００３２】
さらに、梁部材２４が設けられていない外殻３８の箇所（外縁４０）には、梁部材２４に対するタイルの後施工が不要になり、工期短縮、安全施工、合理的施工に貢献することができる。
【００３３】
また、例えば、図１の建物１０の四隅に柱梁架構３２、３６を構成する柱部材１６を配置し、この柱部材１６と、柱梁架構３０、３４に設けられている柱部材１６が梁部材２４で繋がれている場合、梁部材２４で繋がれている柱部材１６同士に軸伸縮の違いが生じたときに、この梁部材２４にひび割れが発生することが懸念されるが、本実施形態の建物１０では、ひび割れの対象となる梁部材がないので、このような問題を懸念する必要がない。
【００３４】
さらに、本実施形態の建物１０では、建物１０の四隅部に位置する床スラブ２８の外縁４２を支持する梁部材２４を跳ね出し梁とすることにより、この部分の柱を無くすことができる。
【００３５】
以上、本発明の実施形態について説明した。
【００３６】
なお、本実施形態では、平面視にて略環状に配置し、梁部材によって繋がれていない柱梁架構３０、３２、３４、３６によって構成された外殻３８を有する建物１０の例を示したが、平面視にて略環状に配置された架構によって建物の外周部に構築された外殻を有し、梁部材がこの外殻の一部にない（外殻の一部が梁部材で繋がれていない）建物であればよく、柱梁架構は、どのような構成のものであってもよいし、配置であってもよい。
【００３７】
例えば、図１に示す例では、建物１０の四隅に柱部材が設けられていないが、ここに柱部材があってもよい。また、例えば、図５（ａ）〜（ｃ）の平面図に示すような建物７２、７４、７６としてもよい。図５（ａ）〜（ｃ）の建物７２、７４、７６は、プレキャストコンクリート柱部材７８、プレキャストコンクリート梁部材８０、及びコンクリート床スラブ８２を有して構成されている。
【００３８】
また、本実施形態では、柱梁架構３０、３２、３４、３６を有して外殻３８を構成した例を示したが、柱梁架構３０、３２、３４、３６は、コンクリート打設を用いない方法（プレキャストコンクリート柱部材及びプレキャストコンクリート梁部材を組み付ける方法）であれば、どのような方法で構築してもよい。例えば、図６（ａ）〜（ｄ）や、図７（ａ）〜（ｄ）に示す方法によって、柱梁架構３０、３２、３４、３６を構築してもよい。
【００３９】
図６（ａ）〜（ｄ）は、建物１０の外殻３８を構成する柱梁架構３０、３４を構築する組立方法の一例を示したものである。説明の都合上、下階を構成する柱部材１６、１８を柱部材１６Ａ、１８Ａとし、上階を構成する柱部材１６、１８を柱部材１６Ｂ、１８Ｂとし、中央に配置される梁部材２４を梁部材２４Ａとし、梁部材２４Ａの左右に配置される梁部材２４を梁部材２４Ｂとする。
【００４０】
まず、図６（ａ）に示すように、第１プレキャストコンクリート柱部材としての柱部材１８Ａの上面から上方へ突出する柱鉄筋８４を第１プレキャストコンクリート梁部材としての梁部材２４Ａに設けられた貫通孔８６に挿入させながら梁部材２４Ａを降下させて（矢印８８）、柱部材１８Ａ上に梁部材２４Ａを載置する。
【００４１】
次に、図６（ｂ）に示すように、梁部材２４Ａの端面から横方へ突出する梁鉄筋９０を第２プレキャストコンクリート梁部材としての梁部材２４Ｂの端面に設けられた接続孔９２に挿入させながら梁部材２４Ｂを横移動させて（矢印９４）、第２プレキャストコンクリート柱部材としての柱部材１６Ａ上に梁部材２４Ｂを載置する。そして、梁鉄筋９０が挿入された接続孔９２にグラウトを充填し硬化させて梁部材２４Ａに梁部材２４Ｂを接合する。梁部材２４Ｂの端面に設けられた接続孔９２は、梁部材２４Ｂの端部に埋設されたスリーブ等の接続部材（不図示）に形成されており、この接続部材は、梁部材２４Ｂに設けられた梁鉄筋（不図示）の端部に接続され、梁部材２４Ｂの端面から突出しないようにして設けられている。
【００４２】
次に、図６（ｃ）に示すように、梁部材２４Ａの上面から上方へ突出する柱部材１８Ａの柱鉄筋８４を、第３プレキャストコンクリート柱部材としての柱部材１８Ｂの下面に設けられた接続孔９６に挿入させながら柱部材１８Ｂを降下させて（矢印９８）、梁部材２４Ａ上に柱部材１８Ｂを載置する。そして、柱鉄筋８４が挿入された貫通孔８６及び接続孔９６にグラウトを充填し硬化させて柱部材１８Ａに柱部材１８Ｂを接合し、柱部材１８Ａ、１８Ｂと梁部材２４Ａを一体にする。柱部材１８Ｂの下面に設けられた接続孔９６は、柱部材１８Ｂの下部に埋設されたスリーブ等の接続部材（不図示）に形成されており、この接続部材は、柱部材１８Ｂに設けられた柱鉄筋８４の端部に接続され、柱部材１８Ｂの下面から突出しないようにして設けられている。
【００４３】
さらに、図６（ｃ）に示すように、第４プレキャストコンクリート柱部材としての柱部材１６Ｂの下面から下方へ突出する柱鉄筋８４を、梁部材２４Ｂに設けられた貫通孔１００と、柱部材１６Ａの上面に設けられた接続孔１０２に挿入させながら、柱部材１６Ｂを降下させて（矢印１０４）、梁部材２４Ｂ上に柱部材１６Ｂを載置する。そして、柱鉄筋８４が挿入された貫通孔１００及び接続孔１０２にグラウトを充填し硬化させて柱部材１６Ａに柱部材１６Ｂを接合し、柱部材１６Ａ、１６Ｂと梁部材２４Ｂを一体にする。柱部材１６Ａの上面に設けられた接続孔１０２は、柱部材１６Ａの上部に埋設されたスリーブ等の接続部材（不図示）に形成されており、この接続部材は、柱部材１６Ａに設けられた柱鉄筋８４の端部に接続され、柱部材１６Ａの上面から突出しないようにして設けられている。
【００４４】
そして、このような、柱部材１８Ａの上面から上方へ突出させた柱鉄筋８４に、下降させた柱部材１８Ｂを挿して柱部材１８Ａ、１８Ｂを接合する順挿し接合方法と、柱部材１６Ａに、下降させた柱部材１６Ｂの下面から下方へ突出させた柱鉄筋８４を挿して柱部材１６Ａ、１６Ｂを接合する逆挿し接合方法により、図６（ｄ）に示すように、柱梁架構３０、３４の一部が形成される。
【００４５】
後は、所定の階になるまで、図６（ａ）〜（ｄ）の作業を繰り返すことにより、柱梁架構３０、３４が構築される。なお、図６（ｂ）において、梁部材２４Ｂの端面から横方へ突出する梁鉄筋を梁部材２４Ａの端面に設けられた接続孔に挿入して、梁部材２４Ａと梁部材２４Ｂを接合するようにしてもよい。
【００４６】
図６（ａ）〜（ｄ）の方法では、柱部材１８Ａ上に梁部材２４Ａを載置した状態で、梁部材２４Ａの貫通孔８６に柱部材１８Ａの柱鉄筋８４が挿入されているので、梁部材２４Ａの横移動が規制され、梁部材２４Ａが横方向へずれて柱部材１８Ａ上から脱落するのを防ぐことができる。
【００４７】
また、柱部材１６Ａ上に梁部材２４Ｂを載置した状態で、梁部材２４Ｂの接続孔９２に梁部材２４Ａの梁鉄筋９０が挿入されているので、梁部材２４Ｂの横移動が規制され、梁部材２４Ｂが横方向へずれて柱部材１６Ａ上から脱落するのを防ぐことができる。
【００４８】
さらに、梁部材２４Ａ上に柱部材１８Ｂを載置した状態で、柱部材１８Ｂの接続孔９６に柱部材１８Ａの柱鉄筋８４が挿入されているので、柱部材１８Ｂの横移動が規制され、柱部材１８Ｂが横方向へずれて梁部材２４Ａ上から脱落するのを防ぐことができる。
【００４９】
また、梁部材２４Ｂ上に柱部材１６Ｂを載置した状態で、柱部材１６Ａの接続孔１０２に柱部材１６Ｂの柱鉄筋８４が挿入されているので、柱部材１６Ｂの横移動が規制され、柱部材１６Ｂが横方向へずれて梁部材２４Ｂ上から脱落するのを防ぐことができる。
【００５０】
図７（ａ）〜（ｄ）は、建物１０の外殻３８を構成する柱梁架構３２、３６を構築する組立方法の一例を示したものである。説明の都合上、下階を構成する柱部材２０を柱部材２０Ａ、２０Ｂとし、上階を構成する柱部材２０を柱部材２０Ｃ、２０Ｄとし、左右に配置されるプレキャストコンクリート梁部材を梁部材２４Ｃ、２４Ｄとする。この組み立て方法では、接合された梁部材２４Ｃ、２４Ｄによって柱梁部材３２、３６の３スパン分の梁部材２４（図１を参照のこと）が形成される。
【００５１】
まず、図７（ａ）に示すように、左側に配置された第１プレキャストコンクリート柱部材としての柱部材２０Ａの上面から上方へ突出する柱鉄筋１１０を第１プレキャストコンクリート梁部材としての梁部材２４Ｃに設けられた貫通孔１０６に挿入させながら梁部材２４Ｃを降下させて（矢印１０８）、柱部材２０Ａ上に梁部材２４Ｃを載置する。
【００５２】
次に、図７（ｂ）に示すように、梁部材２４Ｃの端面から横方へ突出する梁鉄筋１１２を第２プレキャストコンクリート梁部材としての梁部材２４Ｄの端面に設けられた接続孔１１４に挿入させながら梁部材２４Ｄを横移動させて（矢印１１６）、右側に配置された第２プレキャストコンクリート柱部材としての柱部材２０Ｂ上に梁部材２４Ｄを載置する。そして、梁鉄筋１１２が挿入された接続孔１１４にグラウトを充填し硬化させて梁部材２４Ｃに梁部材２４Ｄを接合する。梁部材２４Ｄの端面に設けられた接続孔１１４は、梁部材２４Ｄの端部に埋設されたスリーブ等の接続部材（不図示）に形成されており、この接続部材は、梁部材２４Ｄに設けられた梁鉄筋（不図示）の端部に接続され、梁部材２４Ｄの端面から突出しないようにして設けられている。
【００５３】
次に、図７（ｃ）に示すように、梁部材２４Ｃの上面から上方へ突出する柱部材２０Ａの柱鉄筋１１０を、第３プレキャストコンクリート柱部材としての柱部材２０Ｃの下面に設けられた接続孔１２０に挿入させながら柱部材２０Ｃを降下させて（矢印１２２）、梁部材２４Ｃ上に柱部材２０Ｃを載置する。そして、柱鉄筋１１０が挿入された貫通孔１０６及び接続孔１２０にグラウトを充填し硬化させて柱部材２０Ａに柱部材２０Ｃを接合し、柱部材２０Ａ、２０Ｃと梁部材２４Ｃを一体にする。柱部材２０Ｃの下面に設けられた接続孔１２０は、柱部材１２０Ｃの下部に埋設されたスリーブ等の接続部材（不図示）に形成されており、この接続部材は、柱部材２０Ｃに設けられた柱鉄筋１１０の端部に接続され、柱部材２０Ｃの下面から突出しないようにして設けられている。
【００５４】
さらに、図７（ｃ）に示すように、第４プレキャストコンクリート柱部材としての柱部材２０Ｄの下面から下方へ突出する柱鉄筋１１０を、梁部材２４Ｄに設けられた貫通孔１２４と、柱部材２０Ｂの上面に設けられた接続孔１２６に挿入させながら、柱部材２０Ｄを降下させて（矢印１２８）、梁部材２４Ｄ上に柱部材２０Ｄを載置する。そして、柱鉄筋１１０が挿入された貫通孔１２４及び接続孔１２６にグラウトを充填し硬化させて柱部材２０Ｂに柱部材２０Ｄを接合し、柱部材２０Ｂ、２０Ｄと梁部材２４Ｄを一体にする。柱部材２０Ｂの上面に設けられた接続孔１２６は、柱部材２０Ｂの上部に埋設されたスリーブ等の接続部材（不図示）に形成されており、この接続部材は、柱部材２０Ｂに設けられた柱鉄筋１１０の端部に接続され、柱部材２０Ｂの上面から突出しないようにして設けられている。
【００５５】
そして、このような、柱部材２０Ａの上面から上方へ突出させた柱鉄筋１１０に、下降させた柱部材２０Ｃを挿して柱部材２０Ａ、２０Ｃを接合する順挿し接合方法と、柱部材２０Ｂに、下降させた柱部材２０Ｄの下面から下方へ突出させた柱鉄筋１１０を挿して柱部材２０Ｂ、２０Ｄを接合する逆挿し接合方法により、図７（ｄ）に示すように、柱梁架構３２、３６の一部が形成される。
【００５６】
後は、所定の階になるまで、図７（ａ）〜（ｄ）の作業を繰り返すことにより、柱梁架構３２、３６が構築される。なお、図７（ｂ）において、梁部材２４Ｄの端面から横方へ突出する梁鉄筋を梁部材２４Ｃの端面に設けられた接続孔に挿入して、梁部材２４Ｃと梁部材２４Ｄを接合するようにしてもよい。
【００５７】
図７（ａ）〜（ｄ）の方法では、柱部材２０Ａ上に梁部材２４Ｃを載置した状態で、梁部材２４Ｃの貫通孔１０６に柱部材２０Ａの柱鉄筋１１０が挿入されているので、梁部材２４Ｃの横移動が規制され、梁部材２４Ｃが横方向へずれて柱部材２０Ａ上から脱落するのを防ぐことができる。
【００５８】
また、柱部材２０Ｂ上に梁部材２４Ｄを載置した状態で、梁部材２４Ｄの接続孔１１４に梁部材２４Ｃの梁鉄筋１１２が挿入されているので、梁部材２４Ｄの横移動が規制され、梁部材２４Ｄが横方向へずれて柱部材２０Ｂ上から脱落するのを防ぐことができる。
【００５９】
さらに、梁部材２４Ｃ上に柱部材２０Ｃを載置した状態で、柱部材２０Ｃの接続孔１２０に柱部材２０Ａの柱鉄筋１１０が挿入されているので、柱部材２０Ｃの横移動が規制され、柱部材２０Ｃが横方向へずれて梁部材２４Ｃ上から脱落するのを防ぐことができる。
【００６０】
また、梁部材２４Ｄ上に柱部材２０Ｄを載置した状態で、柱部材２０Ｂの接続孔１２６に柱部材２０Ｄの柱鉄筋１１０が挿入されているので、柱部材２０Ｄの横移動が規制され、柱部材２０Ｄが横方向へずれて梁部材２４Ｄ上から脱落するのを防ぐことができる。
【００６１】
図６（ａ）〜（ｄ）、及び図７（ａ）〜（ｄ）に示すように、順挿し接合方法と逆挿し接合方法を併用した組立方法によって柱梁架構を構築すれば、梁部材が柱部材から脱落するのを防ぐことができ、また、柱部材が梁部材から脱落するのを防ぐことができるので、建物の外殻を安全に組み立てることができる。
【００６２】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００６３】
１０、７２、７４、７６  建物
１６、１８、２０  柱部材（プレキャストコンクリート柱部材）
２４  梁部材（プレキャストコンクリート梁部材）
３８  外殻
８４、１１０  柱鉄筋（鉄筋）
８６、１０６  貫通孔
９０、１１２  梁鉄筋（鉄筋）
９２、１１４  接続孔
【図１】
2014201908.tif 000003
【図２】
2014201908.tif 000004
【図３】
2014201908.tif 000005
【図４】
2014201908.tif 000006
【図５】
2014201908.tif 000007
【図６】
2014201908.tif 000008
【図７】
2014201908.tif 000009